(57)【要約】      （修正有）【課題】ハーブを用いた温熱具であって、手の平に収まる程度の大きさで、利用者が自分自身の身体を温める際に容易に利用できて、握ったり握る力を強めたり弱めたりするといった運動に用いることができる温熱具を提供する。【解決手段】袋体５と、袋体に収容されたハーブを備える、手の平に収まる程度の大きさでなる温熱具１であって、袋体には、さらに、豆類やおがくずが収納され、また、袋体につけ外し可能なカバー１０が施される。【選択図】図２
0003232043.tif 000002
【実用新案登録請求の範囲】
【請求項１】
袋体と、前記袋体に収容されたハーブを備える温熱具であって、手の平に収まる程度の大きさでなる温熱具。
【請求項２】
前記袋体に豆類が収納されていることを特徴とする請求項１に記載の温熱具。
【請求項３】
前記豆類が緑豆であることを特徴とする請求項２に記載の温熱具。
【請求項４】
前記袋体におがくずが収納されていることを特徴とする請求項１から請求項３のいずれかに記載の温熱具。
【請求項５】
前記おがくずがヒバ又はヒノキのおがくずであることを特徴とする請求項４に記載の温熱具。
【請求項６】
前記袋体の外側に着脱可能なカバーを備えることを特徴とする請求項１から請求項５のいずれかに記載の温熱具。
【請求項７】
前記ハーブが、ゲットウ、ヤマトトウキ、ラベンダー、シナモンのいずれかから選ばれることを特徴とする請求項１から請求項６のいずれかに記載の温熱具。
【請求項８】
濡らすことなく温めて用いられることを特徴とする請求項１から請求項７のいずれかに記載の温熱具。
【考案の詳細な説明】
【技術分野】
【０００１】
ハーブを用いた温熱具に関する。特に手の平に収まる程度の大きさのハーブを用いた温熱具に関する。
【背景技術】
【０００２】
ハーブの香りが備える鎮静・興奮といった作用を人体に利用するために、従来より、布袋にハーブを詰め、温めて人体に当てる温熱具がある。平たい形状のものはハーブパットと呼ばれ肩に載せたり腰に当てたりして用いられる。球状のものはハーブボールと呼ばれ身体のツボ等の温めたい場所に押し当てて用いられる。
【０００３】
ハーブを用いた温熱具には、ハーブを袋ごと水で濡らして用いるものと、水で濡らすことなく乾いた状態で用いるものがある。濡らして用いるものは、腐敗しやすいために一回毎に作成し直したり買い直したりする必要があるが、ハーブ成分の経皮吸収効果が大きい。乾いた状態で用いるものは、ハーブ成分の経皮吸収効果は少ないものの、何回も繰り返し使うことができ、また腐敗の心配が少ないために保管が容易である。
【０００４】
特許文献１には、濡らすことなく乾いた状態で用いる温熱具であって、形体をパッド状や球状に変化させることができる温熱具について記載がある。図５に特許文献１に記載の温熱具２０を示す。温熱具２０はハーブ充填部２１と紐２５を備える。温熱具２０は、図５の（Ａ）に示す形体にしてハーブパットとして用いることができる。この場合、紐２５を使って温熱具２０を身体に結び付け、パッド状のハーブ充填部２１が肩や腰に位置するようにする。温熱具２０は、図５の（Ｂ）に示す形体にしてハーブボールとして用いることができる。この場合、紐２５を使って、ハーブ充填部２１が球状になり握り部２６が形成されるようにする。使用者自身が握り部２６を用いてハーブボールを握り、身体の温めたい患部に自分自身で押し当て、筋肉をもみほぐすようにハーブボールを擦り動かして用いる。
【０００５】
一方、従来のハーブを用いた温熱具に、手の平に収まる程度の大きさの温熱具は見当たらない。これまで手の平に収まる程度の大きさの温熱具が作られてこなかった理由は、次の通りと考えられる。ハーブ温熱具を手の平に収まる程度の大きさにすると、小さな温熱具をならざるを得ず、内容量が少ないためすぐに冷めてしまうという問題があったためと考えられる。また、握って用いる温熱具ではある程度の固さが必要なところ、ハーブ温熱具に用いられるハーブは、通常乾燥した葉が多く、内容量が少ない場合には必要な固さが得られない、といった問題があったためと考えられる。
【先行技術文献】
【特許文献】
【０００６】
【特許文献１】実用新案登録第３２１４８４８号公報
【考案の概要】
【考案が解決しようとする課題】
【０００７】
ハーブを用いた温熱具であって手の平に収まる程度の大きさの温熱具を提供することを課題とする。ハーブを用いた温熱具であって利用者が自分自身の身体を温める際に容易に利用できる温熱具を提供することを課題とする。ハーブを用いた温熱具であって、握ったり握る力を強めたり弱めたりするといった運動に用いることができる温熱具を提供することを課題とする。
【課題を解決するための手段】
【０００８】
（１）袋体と、前記袋体に収容されたハーブを備える温熱具であって、手の平に収まる程度の大きさでなる温熱具によって課題を解決する。袋体の素材は、木綿の布等、５０℃程度の加熱に耐えることのできるものを用いる。特に電子レンジによる加熱に耐えることのできるものを用いる。袋体は、例えば袋状に縫い合わせた布袋を用いる。袋状に縫い合わせた布袋にハーブ等の内容物を収納し、収納後に外部からひもで縛る等して布袋の口を閉じる。
ハーブの種類と量は、用途や好みに応じて選択する。ハーブは、ゲットウ（月桃）、ヤマトトウキ（大和当帰）、ローズマリー、ラベンダー、シナモン、緑茶、ローズ、ローズヒップ等を用い、用途や好みに応じて選択する。ハーブは種類の異なるものを組み合わせてもよい。
手の平に収まる程度の大きさとは、言い換えれば人が片手で握ることができる程度の大きさのことである。成人男性の手と幼い子供の手では手の大きさに差異があるが、いずれの手の大きさも対象である。手の平に収めるために、袋体の形状はたわら型や直方体であると好ましい。手の平に収まる程度の大きさであることにより、使用者が自分自身の身体を温める際に使いやすい。また、温熱具を握った手自体に、ハーブの効果や、手を温めることによる効果を与えることができる。高齢者等手の機能の衰えた者にとって、手を大きく広げて温熱具を握る行為自体が簡易な運動となり、手の機能の回復につながる。
【０００９】
（２）前記袋体に豆類が収納されていることを特徴とする（１）に記載の温熱具によって課題を解決する。
豆類は粒状でありある程度の大きさがあるため、ハーブ等乾燥した葉よりも熱を保持する能力が高い。また、豆類は粒状であることに加えてある程度の固さがあるため、袋に収納された結果互いに密に押し合って温熱具の形体を形作ることができる。
【００１０】
（３）前記豆類が緑豆であることを特徴とする（２）に記載の温熱具によって課題を解決する。
豆類の粒径が例えば小豆ほどである場合（直径約６ｍｍ×約９ｍｍ）、粒径が大きいために温熱具を肌に当てた際の肌触りが好ましくない。粒径が緑豆ほどである場合（直径約３ｍｍ×約５ｍｍ）、温熱具を肌に当てた際の肌触りの観点で好ましい。
【００１１】
（４）前記袋体におがくずが収納されていることを特徴とする（１）から（３）のいずれかに記載の温熱具によって課題を解決する。おがくずは温熱具の形体を形作るために収納する。
【００１２】
（５）前記おがくずがヒバ又はヒノキのおがくずであることを特徴とする（４）に記載の温熱具によって課題を解決する。ヒバ又はヒノキのおがくずを用いると、温熱具の形体を形作ることに加えて、これらのおがくずに含まれる香の効能、ヒノキチオールの効能を得られると考えられる。
【００１３】
（６）前記袋体の外側に着脱可能なカバーを備えることを特徴とする（１）から（５）のいずれかに記載の温熱具によって課題を解決する。カバーのみ外してこまめに洗濯することにより、温熱具を清潔に保つことができる。特にハーブを用いた温熱具は、顔に当てて用いることが多いため、化粧料が付着して温熱具が汚れやすい。また、カバーは、袋体の内部のハーブの種類によって色を特定するために用いることができる。これによりカバーの色によって袋内のハーブを見分けることができ、便利である。
【００１４】
（７）前記ハーブが、ゲットウ、ヤマトトウキ、ラベンダー、シナモンのいずれかから選ばれることを特徴とする（１）から（４）のいずれかに記載の温熱具によって課題を解決する。ゲットウとは「月桃（Alpinia zerumbet）」のことである。ヤマトトウキとは「大和当帰（Angelicaacutiloba）」のことである。
【００１５】
（８）濡らすことなく温めて用いられることを特徴とする（１）から（７）のいずれかに記載の温熱具によって課題を解決する。
【考案の効果】
【００１６】
ハーブを用いた温熱具であって、手の平に収まる程度の大きさの温熱具を提供できる。手の平に収まる程度の大きさの温熱具であるため、利用者は自分自身の身体を温める際に容易に利用できる。また、手のひらに収まる程度の大きさの温熱具であるため、温熱具を、握ったり、握る力を強めたり弱めたりする、といった運動に用いることができる。
【図面の簡単な説明】
【００１７】
【図１】本願に係る温熱具を示す。
【図２】本願に係る温熱具を示す。
【図３】本願に係る温熱具を示す。
【図４】本願に係る温熱具を示す。
【図５】従来例に係る温熱具を示す。
【考案を実施するための形態】
【００１８】
以下、本考案を実施するための最良の形態を、実施例に基づいて詳細に説明する。
【実施例１】
【００１９】
図１及び図２に示す通り、温熱具１は、袋５の中にハーブ等の内容物を詰め、袋５の開口部を紐３で縛って閉じて作られる。袋５は木綿の布を袋状に縫製して作る。袋の作り方は一般的なもので足り、例えば、布を二つに折り合わせて端部をＬ字型に縫製し、底面に当たる辺の角を縫い止めてマチを作って袋状にする。また例えば、底面と頂面に四角形や円形の布を用い、底面の布と側面に用いる四角形の布を縫い合わせて円柱又は四角柱の形状の袋を作る。袋に内容物を詰めた後、側面の布に頂面の布を縫い止めて袋を閉じるのでもよい。
【００２０】
内容物は、次の通りである。
（１）ヒバのおがくず
（２）緑豆
（３）ハーブ（ローズ、ラベンダー、シナモン、緑茶等）
内容物の体積比は、（１）が約８０％、（２）が約１０％、（３）が約１０％、
が適量である。
【００２１】
おがくずは主に温熱具を形作るために用いる。ヒバのおがくずを用いることにより、温熱具を形作ることに加えて、ヒバに含まれるヒノキチオールの効能、すなわち香り、抗菌、防虫の効能を利用できる。緑豆は温熱具を形作るためと、熱を蓄えるために用いる。緑豆を用いることにより、温熱具を肌に当てて転がす際に肌触りが良い。ハーブは、用途や好みに応じて選択する。ハーブは一種類のみでもよいし、複数種を混ぜ合わせてもよい。
【００２２】
図２に示す通り、袋５の外側にカバー１０を巻く。カバー１０はつけ外し容易な状態にしておく。カバー１０は、端部を簡易に縫い止めて輪にしたり、外れないよう、袋に簡易に縫い留めてもよい。カバー１０は温熱具を清潔に保つために用いるもので、汚れた場合にはカバーのみ外して洗う。乾いた状態で用いるハーブ温熱具は水洗いには向かないため、カバーのみ外して洗うことができると便利である。また、カバーは、色彩によって内容物を区別するためにも用いられる。袋の中のハーブがローズであればローズ色、ラベンダーであれば紫色、といったように色分けすることにより温熱具内のハーブを一目で判断することができ便利である。
【００２３】
温熱具１は、水に濡らさず乾いた状態で、５００Ｗ〜６００Ｗの電子レンジで.３０秒〜４０秒加熱する。このような加熱により温熱具を肌に心地良い温度にすることができる。
【００２４】
図３に示す通り、温熱具１は手の平に収まる程度の大きさにする。そのような大きさであるために、利用者は片手で温熱具１を掴むことができる。また、内容物はおがくず、豆類、ハーブであるため、握った手の力を緩めたり強めたりすると、温熱具はそれに追従して形体が緩やかに変化する。また、そのような、握った手の力を緩めたり強めたりする最中に、温熱具の内容物であるハーブやヒノキチオールの効能を得ることができる。温熱具を手で掴んだり、握った手の力を緩めたり強めたりする行為は手の運動になり、高齢者等、手の機能が衰えた者にとって非常に良い。
【００２５】
図４に示す通り、温熱具１は手の平に収まる程度の大きさであるため、手の平を用いてコロコロ転がすことができる。よって、温熱具１の利用者は、温熱具を自分自身の身体の温めたい箇所にあてがい、コロコロ転がして用いることができる。
【符号の説明】
【００２６】
１  温熱具
３  紐
５  袋
１０  カバー
２０  温熱具
２１  ハーブ充填部
２５  紐
２６  握り部
【図１】
0003232043.tif 000003
【図２】
0003232043.tif 000004
【図３】
0003232043.tif 000005
【図４】
0003232043.tif 000006
【図５】
0003232043.tif 000007
【手続補正書】
【提出日】令和3年3月19日(2021.3.19)
【手続補正１】
【補正対象書類名】実用新案登録請求の範囲
【補正対象項目名】全文
【補正方法】変更
【補正の内容】
【実用新案登録請求の範囲】
【請求項１】
袋体と、前記袋体に収容されたハーブを備える温熱具であって、手の平に収まる程度の大きさでなる温熱具。
【請求項２】
前記袋体に豆類が収納されていることを特徴とする請求項１に記載の温熱具。
【請求項３】
前記豆類が緑豆であることを特徴とする請求項２に記載の温熱具。
【請求項４】
前記袋体におがくずが収納されていることを特徴とする請求項１から請求項３のいずれかに記載の温熱具。
【請求項５】
前記おがくずがヒバ又はヒノキのおがくずであることを特徴とする請求項４に記載の温熱具。
【請求項６】
前記袋体の外側に着脱可能なカバーを備えることを特徴とする請求項１から請求項５のいずれかに記載の温熱具。
【請求項７】
前記ハーブが、ゲットウ、ヤマトトウキ、ラベンダー、シナモンのいずれかから選ばれることを特徴とする請求項１から請求項６のいずれかに記載の温熱具。
【請求項８】
濡れておらず、温められていることを特徴とする請求項１から請求項７のいずれかに記載の温熱具。